(57)【要約】      （修正有）【課題】移動車付き火炎放射装置おいて、畑の畝間の通路にそって移動可能で、畝間の通路や畝の通路側の法面の加熱焼却に有効な構成とし、畝の作物に対して火炎放射熱の悪影響を確実に防止できるようにする。【解決手段】車台２上の燃料加圧タンク３から燃料を車台２搭載の火炎放射バーナー５に加圧状態で供給し、火炎放射バーナー５から火炎６を放射する移動車付き火炎放射装置１おいて、車台２に取り付けられ、車台２の移動方向に設けられた左右のホルダー７と、各ホルダー７に取り付けられ、火炎放射バーナー５を挟んで対向状態の遮熱プレート８とを有し、左右のホルダー７の間隔を調節する間隔調節器、および各ホルダー７に対して遮熱プレート８を傾き角度調整自在として取り付ける番いクランプを具備している。【選択図】図１
0003218188.tif 000002
【実用新案登録請求の範囲】
【請求項１】
車台（２）上の燃料加圧タンク（３）から燃料（４）を車台（２）搭載の火炎放射バーナー（５）に供給し、火炎放射バーナー（５）から火炎（６）を放射する移動車付き火炎放射装置（１）おいて、車台（２）に取り付けられ、車台（２）の移動方向に設けられた左右のホルダー（７）と、各ホルダー（７）に取り付けられ、火炎放射バーナー（５）を挟んで対向状態の遮熱プレート（８）と、を具備することを特徴とする移動車付き火炎放射装置（１）。
【請求項２】
左右別体のホルダー（７）に付属して設けられ、左右のホルダー（７）の間に架け渡され、左右のホルダー（７）の間隔を調節する間隔調節器（９）を具備することを特徴とする請求項１記載の移動車付き火炎放射装置（１）。
【請求項３】
対向状態の遮熱プレート（８）に付属して設けられ、各ホルダー（７）に対して遮熱プレート（８）を傾き角度調整自在として取り付ける番いクランプ（１０）を具備することを特徴とする請求項１または請求項２記載の移動車付き火炎放射装置（１）。
【考案の詳細な説明】
【技術分野】
【０００１】
本考案は、畑の草焼き、害虫駆除、土壌滅菌など主として農作業に用いられる装置であって、特に、畑の畝間の通路にそって移動可能で、畝間の通路や、畝の通路側の法面の加熱焼却に有効な移動車付きの火炎放射装置に関する。
【背景技術】
【０００２】
特許文献１は、車台に燃料タンクおよび火炎放射用のバーナーを載せ、移動しながら火炎を放射できる装置を示している。火炎放射用のバーナーは、火炎カバーによりおおわれており、火炎を目標以外の空間に放射されないようにしている。
【先行技術文献】
【特許文献】
【０００３】
【特許文献１】特開平６−３１９４２６号公報
【考案の概要】
【考案が解決しようとする課題】
【０００４】
上記の特許文献１の技術によると、目標以外の位置での加熱焼却は、ある程度防止しできるが、畑の畝間の通路や畝の通路側の法面の加熱焼却は、有効にできず、法面の加熱のときに、畝のアスパラ、ねぎ、にんにくなどの作物は、強い熱の影響を受けて、生育不良となりやすく、市場価値を失うことにもなる。
【０００５】
したがって、本考案の課題は、移動車付き火炎放射装置おいて、畑の畝間の通路にそって移動可能で、畝間の通路や畝の通路側の法面の加熱焼却に有効な構成とし、畝の作物に対して火炎放射熱の悪影響を確実に防止できるようにすることである。
【課題を解決するための手段】
【０００６】
上記の課題のもとに、本考案は、車台（２）上の燃料加圧タンク（３）から燃料（４）を車台（２）搭載の火炎放射バーナー（５）に供給し、火炎放射バーナー（５）から火炎（６）を放射する移動車付き火炎放射装置（１）おいて、車台（２）に取り付けられ、車台（２）の移動方向に設けられた左右のホルダー（７）と、各ホルダー（７）に取り付けられ、火炎放射バーナー（５）を挟んで対向状態の遮熱プレート（８）と、を具備している。
【０００７】
また、本考案は、上記の移動車付き火炎放射装置（１）において、左右のホルダー（７）の間隔を調節するために、左右別体のホルダー（７）に付属して設けられ、左右のホルダー（７）の間に架け渡される間隔調節器（９）を具備している。
【０００８】
さらに、本考案は、上記の移動車付き火炎放射装置（１）において、各ホルダ（７）に対して遮熱プレート（８）を傾き角度調整自在として取り付けるために、対向状態の遮熱プレート（８）に付属して設けられる番いクランプ（１０）を具備している。
【考案の効果】
【０００９】
本考案の移動車付き火炎放射装置（１）によると、畝間の通路にそって移動車付き火炎放射装置（１）が移動するとき、燃料加圧タンク（３）や火炎放射バーナー（５）の重さから解放された状態で、火炎放射バーナー（５）の火炎（６）が通路や法面に充分に効率よく放射され、しかも火炎（６）の熱が遮熱プレート（８）によって遮断されるため、畝の作物が熱的な悪影響を受けることなく、畝間の通路や、畝の法面の雑草の焼却、土壌の滅菌、害虫駆除が確実に行える。
【００１０】
また、左右のホルダー（７）の間隔が間隔調節器（９）により調節できるから、作物の品種、地域によって異なる畝の間隔および畝の法面の傾き角度、さらに通路幅に対して、火炎（６）放射が柔軟に対応でき、畑の状態や作物に応じた適切な作業が可能となる。
【００１１】
さらに、対向状態の遮熱プレート（８）が番いクランプ（１０）により傾き角度調整自在として取り付けられているから、遮熱プレート（８）が畝の間隔や畝の法面の傾き角度に適合できる状態として、畝間の通路のほか、畝の法面の雑草の焼却、土壌の滅菌、害虫駆除が最も合理的な状態として能率よく進められる。
【図面の簡単な説明】
【００１２】
【図１】本考案に係る移動車付き火炎放射装置（１）の平面図である。
【図２】本考案に係る移動車付き火炎放射装置（１）の側面図である。
【図３】本考案に係る移動車付き火炎放射装置（１）において、火炎放射状況の正面図である。
【図４】本考案に係る移動車付き火炎放射装置（１）において、左右のホルダー（７）の間隔を調節し、対向状態の遮熱プレート（８）の対向距離を調節するときの拡大平面図である。
【図５】本考案に係る移動車付き火炎放射装置（１）において、ホルダー（７）に対して遮熱プレート（８）の傾き角度を調整するときの一部の拡大正面図である。
【考案を実施するための最良の形態】
【００１３】
図１ないし図３は、本考案に係る移動車付き火炎放射装置１を示している。移動車付き火炎放射装置１は、車台２に載せられている燃料加圧タンク３から灯油などの燃料４を車台２に搭載されている火炎放射バーナー５に加圧状態で供給し、火炎放射バーナー５の内部で燃料４を気化して、火炎放射バーナー５の先端からから火炎６を放射し、畑の草焼きとして雑草の焼却、土壌の滅菌、害虫駆除を行う。
【００１４】
そして、移動車付き火炎放射装置１は、車台２の部分で例えば２個の車輪１１およびハンドル１２を有しており、さらに、車台２に取り付けられ、車台２の移動方向に設けられた左右のホルダー７と、各ホルダー７ごとに取り付けられ、火炎放射バーナー５を挟んで対向状態の遮熱プレート８とを具備している。左右のホルダー７は、火炎放射バーナー５の左右の位置で、遮熱プレート８を対向状態として保持するために、図１の想像線のように、１本のパイプを先端でＵ字状に曲げ、直線部分を左右に配置して、一体として構成するか、または図１の実線のように、２本の直線状のパイプを左右に配置して、別体として構成されており、それぞれのパイプの基端部分で車台２に溶接または軸兼用ボルト・ナットなどの固定手段により取り付けられている。
【００１５】
図４に例示するように、移動車付き火炎放射装置１は、左右別体のホルダー７に付属する間隔調節用部品として間隔調節器９を具備している。間隔調節器９は、好ましい代表的なものとして例えばターンバックルであり、２つの逆ねじのフック付きボルト１３と、これらに逆ねじにより結合する１つのバックル１４とで構成されており、それぞれのフック付きボルト１３のフックによって左右のホルダー７の間に架け渡され、バックル１４の回転操作によって、逆ねじの機能を利用して、左右のホルダー７の間隔を縮小方向または拡大方向に調節するために設けられている。左右のホルダー７の間隔調節のときに、ホルダー７は、その基端部から間隔調節器９までの部分で湾曲変形することによって、間隔の変化に適応する。
【００１６】
なお、図示しないが、ホルダー７が垂直方向の１本の軸兼用ボルト・ナットにより車台２に取り付けられているとき、軸兼用ボルト・ナットをゆるめて、左右のホルダー７の間隔調節を行えば、左右のホルダー７は、湾曲変形することなく、軸兼用ボルト・ナットの位置を軸として間隔を変える。間隔調節のあとに、左右のホルダー７は、軸兼用ボルト・ナットを締めつけて、車台２に動き止め状態として固定される。
【００１７】
さらに、図５に例示するように、移動車付き火炎放射装置１は、対向状態の遮熱プレート８に付属する取り付け用部品として番いクランプ１０を具備している。番いクランプ１０は、ヒンジクランプとも呼ばれ、Ｃ字状の１つのクランパー１５と１つの固定用ボルト・ナット１６とからなる。Ｃ字状のクランパー１５は、その背の部分で遮熱プレート８に固着され、パイプ状のホルダーホルダー７に対し回転可能な状態として取り付けられる。また、固定用ボルト・ナット１６は、クランパー１５の開口側の孔に通され、その締めつけによってパイプ状のホルダー７に対し遮熱プレート８を傾き角度調整自在として取り付ける。
【００１８】
作業者は、燃料加圧タンク３から加圧状態の灯油などの燃料４を火炎放射バーナー５に供給し、火炎放射バーナー５の内部で気化し、火炎バーナー５の先端からから火炎６を放射させながら、ハンドル１２を操作し、車台２を畑の畝間の通路にそって進行させ、通路や畝の法面の雑草の焼却、土壌の滅菌、害虫駆除の作業を行う。このとき、作業者は、車台２の車輪１１の存在によって、燃料加圧タンク３や火炎放射バーナー５を支えなくてもよいため、それらの重さから解放され、車台２の進行も軽い操作で行える。
【００１９】
この作業において、図３のように、畝間の通路にそって火炎放射バーナー５が移動するとき、畝間の通路や畝の法面に火炎６が充分に効率よく放射されるため、通路や法面の雑草の焼却、土壌の滅菌、害虫駆除が確実に行える。しかも火炎放射バーナー５の火炎６が遮熱プレート８により遮断されるため、畝の作物に熱的な悪影響を及ばさない。なお、車台２に対して火炎放射バーナー５が取り付け角度（仰角・俯角）自在に取り付けられているとき、対向状態の遮熱プレート８の上空間が解放されているから、火炎放射バーナー５の角度調整は、遮熱プレート８の上空間の範囲で自由に簡単に行える。
【００２０】
また、左右のホルダー７の間が間隔調節器９により予め調節できるから、畝の間隔や通路幅、さらに畝の法面に対して、火炎６の放射が最も適切な状態として柔軟に対応でき、畑の状態や作物に応じた合理的な作業が可能となる。
【００２１】
さらに、対向状態の遮熱プレート８が番いクランプ１０により傾き角度調整自在として取り付けられているから、遮熱プレート８が畝の間隔や畝の法面の角度に適合できる状態として調節でき、畑の通路や畝の法面の雑草の焼却、土壌の滅菌、害虫駆除が能率よく進められる。
【産業上の利用可能性】
【００２２】
本考案の移動車付き火炎放射装置１は、主に農業用であるが、融雪、野焼きなどの用途にも転用可能である。また、車台２の車輪は、２個に限らず、３個以上として構成することもできる。
【符号の説明】
【００２３】
１  移動車付き火炎放射装置
２  台車
３  燃料加圧タンク
４  燃料
５  火炎放射バーナー
６  火炎
７  ホルダー
８  遮熱プレート
９  間隔調節器
１０  番いクランプ
１１  車輪
１２  ハンドル
１３  フック付きボルト
１４  バックル
１５  クランパー
１６  固定用ボルト・ナット
【図１】
0003218188.tif 000003
【図２】
0003218188.tif 000004
【図３】
0003218188.tif 000005
【図４】
0003218188.tif 000006
【図５】
0003218188.tif 000007